(57)【要約】      （修正有）【課題】水難事故や水害時にバッグ本体の外側から内側への水の浸入を長時間確実に防止して浮力を維持することができるリュックサックを提供する。【解決手段】リュックサック１００は、防水コーティングされたまたは防水素材で形成されたバッグ本体１１０と、一対の肩ベルト１２０と、バッグ本体の内側に設けられたシート状発泡体と、バッグ本体の外側に設けられた空気吹き込み口１５０と、バッグ本体の上部に設けられた開口部１１１とを備え、空気吹き込み口が、逆止弁を有してバッグ本体の外側から内側への空気の流入を許可するとともにバッグ本体の内側から外側への空気の流出を止め、開口部が、閉じられてからバッグ本体の上端を下方へ巻いてバッグ本体の外側に設けられた留め具１１２、１１４をバッグ本体の外側に設けられた被留め具１１３、１１５と係合させて巻かれた状態となる。【選択図】図１
0003226729.tif 000002
【実用新案登録請求の範囲】
【請求項１】
防水コーティングされたまたは防水素材で形成されたバッグ本体と、一対の肩ベルトとを備えたリュックサックであって、
前記バッグ本体の内側に設けられたシート状発泡体と、
前記バッグ本体の外側に設けられた空気吹き込み口と、
前記バッグ本体の上部に設けられた開口部とを備え、
前記空気吹き込み口が、逆止弁を有してバッグ本体の外側から内側への空気の流入を許可するとともにバッグ本体の内側から外側への空気の流出を止め、
前記開口部が、閉じられてからバッグ本体の上端を下方へ巻いてバッグ本体の外側に設けられた留め具をバッグ本体の外側に設けられた被留め具と係合させて巻かれた状態となる構成であることを特徴とするリュックサック。
【請求項２】
前記開口部が、防水線ファスナーを有して防水線ファスナーによって閉じられてからバッグ本体の上端を下方へ巻いてバッグ本体の外側に設けられた留め具をバッグ本体の外側に設けられた被留め具と係合させて巻かれた状態となる構成であることを特徴とする請求項１に記載のリュックサック。
【請求項３】
前記開口部が、開口部の内周に沿って一周配設された環状シート状のシール部材を有し、
前記シール部材が、開口部の入り口から奥側へ向かって延び、シール部材の基端側が、開口部と接続され、奥側となるシール部材の先端側が、自由端であり、
前記開口部が、前記シール部材によって閉じられてからバッグ本体の上端を下方へ巻いてバッグ本体の外側に設けられた留め具をバッグ本体の外側に設けられた被留め具と係合させて巻かれた状態となる構成であることを特徴とする請求項１または請求項２に記載のリュックサック。
【請求項４】
前記バッグ本体が、バッグ本体における一対の肩ベルトのベルト肩側接続箇所とベルト腰側接続箇所との間の領域にバッグ本体の外側から出し入れ自在なポケットを有している構成であることを特徴とする請求項１乃至請求項３のいずれか１つに記載のリュックサック。
【請求項５】
前記バッグ本体が、バッグ本体の開口部を閉じた状態における上下方向の中央より下側において開閉弁を有してバッグ本体の内側から外側への流体の流量を調整自在なコックを有している構成であることを特徴とする請求項１乃至請求項４のいずれか１つに記載のリュックサック。
【請求項６】
前記空気吹き込み口が、蛇腹状パイプを有している構成であることを特徴とする請求項１乃至請求項５のいずれか１つに記載のリュックサック。
【請求項７】
前記シート状発泡体が、前記バッグ本体に対して取り外し自在に構成されていることを特徴とする請求項１乃至請求項６のいずれか１つに記載のリュックサック。
【考案の詳細な説明】
【技術分野】
【０００１】
本考案は、防水コーティングされたまたは防水素材で形成されたバッグ本体と、一対の肩ベルトとを備えたリュックサックに関する。
【背景技術】
【０００２】
従来、上部に開口部が形成された袋体と、開口部に一部が連結されて開口部を覆う蓋体と、袋体の前側上部及び前側下部にそれぞれ連結された左右対となる肩ベルトと、袋体の前側下部の両側又は左右の肩ベルトのそれぞれに端部が連結された腰ベルトとを有して、袋体及び蓋体は、表裏面が布地であって中央に独立気泡のゴムシートを有する複数のシート片を密封状態で接合かつ表面を縫合して形成され、袋体の開口部と蓋体とは防水ジッパーによって連結して内部の防水性を確保すると共に、内部を空気室としてライフジャケットとしても使用できるリュックサックが知られている（例えば、特許文献１）。
【先行技術文献】
【特許文献】
【０００３】
【特許文献１】実登３２０８２３３号公報（特に、段落０００７、００１４参照）
【考案の概要】
【考案が解決しようとする課題】
【０００４】
しかしながら、上述した従来のリュックサックは、開口部を単にジッパーである線ファスナーによって開閉するファスナータイプの構成であったため、線ファスナーに対して押し広げるように開こうとする力が作用した場合に線ファスナーの幅方向に引っ張られて線ファスナーの構造に僅かな隙間が生じることよって毛管現象が生じて長時間防水機能を維持することが困難であるという問題があった。
【０００５】
そこで、本考案は、前述したような従来技術の問題を解決するものであって、すなわち、本考案の目的は、水難事故や水害時にバッグ本体の外側から内側への水の浸入を長時間確実に防止して浮力を維持することができるリュックサックを提供することである。
【課題を解決するための手段】
【０００６】
本請求項１に係る考案は、防水コーティングされたまたは防水素材で形成されたバッグ本体と、一対の肩ベルトとを備えたリュックサックであって、前記バッグ本体の内側に設けられたシート状発泡体と、前記バッグ本体の外側に設けられた空気吹き込み口と、前記バッグ本体の上部に設けられた開口部とを備え、前記空気吹き込み口が、逆止弁を有してバッグ本体の外側から内側への空気の流入を許可するとともにバッグ本体の内側から外側への空気の流出を止め、前記開口部が、閉じられてからバッグ本体の上端を下方へ巻いてバッグ本体の外側に設けられた留め具をバッグ本体の外側に設けられた被留め具と係合させて巻かれた状態となる構成であることにより、前述した課題を解決するものである。
【０００７】
本請求項２に係る考案は、請求項１に記載されたリュックサックの構成に加えて、前記開口部が、防水線ファスナーを有して防水線ファスナーによって閉じられてからバッグ本体の上端を下方へ巻いてバッグ本体の外側に設けられた留め具をバッグ本体の外側に設けられた被留め具と係合させて巻かれた状態となる構成であることにより、前述した課題をさらに解決するものである。
【０００８】
本請求項３に係る考案は、請求項１または請求項２に記載されたリュックサックの構成に加えて、前記開口部が、開口部の内周に沿って一周配設された環状シート状のシール部材を有し、前記シール部材が、開口部の入り口から奥側へ向かって延び、シール部材の基端側が、開口部と接続され、奥側となるシール部材の先端側が、自由端であり、前記開口部が、前記シール部材によって閉じられてからバッグ本体の上端を下方へ巻いてバッグ本体の外側に設けられた留め具をバッグ本体の外側に設けられた被留め具と係合させて巻かれた状態となる構成であることにより、前述した課題をさらに解決するものである。
【０００９】
本請求項４に係る考案は、請求項１乃至請求項３のいずれか１つに記載されたリュックサックの構成に加えて、前記バッグ本体が、バッグ本体における一対の肩ベルトのベルト肩側接続箇所とベルト腰側接続箇所との間の領域にバッグ本体の外側から出し入れ自在なポケットを有している構成であることにより、前述した課題をさらに解決するものである。
【００１０】
本請求項５に係る考案は、請求項１乃至請求項４のいずれか１つに記載されたリュックサックの構成に加えて、前記バッグ本体が、バッグ本体の開口部を閉じた状態における上下方向の中央より下側において開閉弁を有してバッグ本体の内側から外側への流体の流量を調整自在なコックを有している構成であることにより、前述した課題をさらに解決するものである。
【００１１】
本請求項６に係る考案は、請求項１乃至請求項５のいずれか１つに記載されたリュックサックの構成に加えて、前記空気吹き込み口が、蛇腹状パイプを有している構成であることにより、前述した課題をさらに解決するものである。
【００１２】
本請求項７に係る考案は、請求項１乃至請求項６のいずれか１つに記載されたリュックサックの構成に加えて、前記シート状発泡体が、前記バッグ本体に対して取り外し自在に構成されていることにより、前述した課題をさらに解決するものである。
【考案の効果】
【００１３】
本考案のリュックサックは、バッグ本体と、一対の肩ベルトとを備えていることにより、ユーザーがリュックサックを背負うことができるばかりでなく、以下のような特有の効果を奏することができる。
【００１４】
本請求項１に係る考案のリュックサックによれば、万が一に水難事故や水害に遭った場合にユーザーが背負っているリュックサックを胸側にかけ直して空気吹き込み口から空気を入れるとバッグ本体の内側に空気が溜まり十分な浮力が生じるため、ユーザーは水難事故や水害から身を守ることができる。
さらに、開口部が単に線ファスナーで閉じられるファスナータイプではなく巻いて閉じる所謂、ロールトップタイプであることによって開口部がロール状に巻かれた中心となって開口部に対して押し広げるように開こうとする力が殆ど作用せず開口部が長時間確実に封止されるため、バッグ本体の外側から内側への水の浸入を長時間確実に防止して浮力を維持することができる。
また、突然、水に襲われた場合であってもシート状発泡体によってバッグ本体に浮力が生じるため、ユーザーはタイミングをみてリュックサックを背中側から胸側にかけ直して空気吹き込み口から空気を入れて十分な浮力を得ることができる。
さらに、万が一に水に流されている場合にバッグ本体が何かと衝突して傷ついて空気漏れを起こしてしまったときであってもシート状発泡体によって浮力をある程度確保することができる。
【００１５】
本請求項２に係る考案のリュックサックによれば、請求項１に係る考案が奏する効果に加えて、防水線ファスナーがロール状に巻かれた中心となって防水線ファスナーに対して押し広げるように開こうとする力が殆ど作用せず防水線ファスナーによって開口部がより確実に封止されるため、より確実に浮力を維持することができる。
【００１６】
本請求項３に係る考案のリュックサックによれば、請求項１または請求項２に係る考案が奏する効果に加えて、バッグ本体の内側の気圧が少しでも高くなると、バッグ本体の内側の空気が開口部を介して外側へ逃げようとするが、逃げようとする空気が、開口部の内側に設けられたシール部材の外周に入り込み、開口部に沿って一周設けられたシール部材を互いに密に接触させるように力を作用して開口部がより確実に封止されるため、より確実に浮力を維持することができる。
【００１７】
本請求項４に係る考案のリュックサックによれば、請求項１乃至請求項３のいずれか１つに係る考案が奏する効果に加えて、寒いときはカイロ、暑いときは冷却剤を収納自在となってユーザーがリュックサックを背負っているときにユーザーの背中にカイロの熱が伝達される、またはユーザーの背中の熱が冷却剤に奪われるため、気温が低くて寒いときであっても気温が高くて暑いときであってもユーザーはリュックサックを快適に背負い続けることができる。
【００１８】
本請求項５に係る考案のリュックサックによれば、請求項１乃至請求項４のいずれか１つに係る考案が奏する効果に加えて、災害時にバッグ本体の内側に水を入れてコックを操作するとバッグ本体の内側の水が外側へ出るため、災害時にリュックサックを給水用バッグや水汲み用タンクとして使うことができる。
さらに、バッグ本体の内側に水および衣類などを入れてバッグ本体を押すなどして変形させると内側の水が撹拌されて衣類などの汚れが落ちるため、災害時にリュックサックを洗濯機として使うことができる。
また、洗濯した後にコックから排水してバッグ本体を押したりくるくる巻いたりすると衣類などに含まれた水分が絞り出されてコックからさらに排水されるため、災害時にリュックサックを脱水機として使うことができる。
【００１９】
本請求項６に係る考案のリュックサックによれば、請求項１乃至請求項５のいずれか１つに係る考案が奏する効果に加えて、空気吹き込み口が伸縮自在、かつ、方向変更自在となるため、ユーザーはリュックサックを胸側にかけ直して水に浮いているときに空気吹き込み口を簡単に伸ばして自分の口に向けて空気吹き込み口から空気を吹き込むことができる。
【００２０】
本請求項７に係る考案のリュックサックによれば、請求項１乃至請求項６のいずれか１つに係る考案が奏する効果に加えて、シート状発泡体をバッグ本体から取り外してバッグ本体の内側に空気を適度に入れるとある程度変形自在な空気枕となり、シート状発泡体を真っ直ぐ延ばすと弾力のあるマット状となるため、災害時にユーザーは、バッグ本体を枕として使うとともにシート状発泡体をマットとして使って休息を取ることができる。
【図面の簡単な説明】
【００２１】
【図１】（Ａ）（Ｂ）は本考案の実施例であるリュックサックの開口部を開けた状態であって背負ったときの後方から視た図および前方から視た図。
【図２】（Ａ）（Ｂ）は本考案の実施例であるリュックサックの開口部を閉じた状態であって背負ったときの後方から視た図および前方から視た図。
【図３】（Ａ）は図２（Ａ）の内側を透視した透視断面図、（Ｂ）は（Ａ）の符号３Ｂ−３Ｂで視た断面図。
【図４】（Ａ）は側方シート状発泡体を延ばした状態を示す図、（Ｂ）はリュックサックの開口部を閉じた状態を示す図、（Ｃ）は底用シート状発泡体からサンダルを外した状態を示す図。
【考案を実施するための形態】
【００２２】
本考案のリュックサックは、防水コーティングされたまたは防水素材で形成されたバッグ本体と、一対の肩ベルトと、バッグ本体の内側に設けられたシート状発泡体と、バッグ本体の外側に設けられた空気吹き込み口と、バッグ本体の上部に設けられた開口部とを備え、空気吹き込み口が、逆止弁を有してバッグ本体の外側から内側への空気の流入を許可するとともにバッグ本体の内側から外側への空気の流出を止め、開口部が、閉じられてからバッグ本体の上端を下方へ巻いてバッグ本体の外側に設けられた留め具をバッグ本体の外側に設けられた被留め具と係合させて巻かれた状態となる構成であることにより、ユーザーは水難事故や水害から身を守ることができ、バッグ本体の外側から内側への水の浸入を長時間確実に防止して浮力を維持することができ、ユーザーはタイミングをみてリュックサックを背中側から胸側にかけ直して空気吹き込み口から空気を入れて十分な浮力を得ることができ、さらに、万が一に水に流されている場合にバッグ本体が何かと衝突して傷ついて空気漏れを起こしてしまったときであってもシート状発泡体によって浮力をある程度確保することができるものであれば、その具体的な実施態様は、如何なるものであっても構わない。
【００２３】
例えば、バッグ本体は、防水コーティングされたものや、防水素材で形成されたものなど、防水仕様であって、バッグ本体の上端を下方へ巻いて留め具をバッグ本体の外側に設けられた被留め具と係合させて開口部を閉じる所謂、ロールトップタイプのものであれば如何なるものであっても構わない。
また、開口部を閉じるための留め具および被留め具の数は、いくつでもよく、留め具および被留め具の形式は、係合自在であれが如何なるものであっても構わない。
さらに、開口部は、ロールトップタイプのものであれば、防水線ファスナーを有して構成でもよいし、防水線ファスナーを有さない構成でもよい。
【実施例】
【００２４】
以下に、本考案の実施例であるリュックサック１００について、図１（Ａ）乃至図４（Ｃ）に基づいて説明する。
ここで、図１（Ａ）は、本考案の実施例であるリュックサック１００の開口部１１１を開けた状態であって背負ったときの後方から視た図であり、図１（Ｂ）は、本考案の実施例であるリュックサック１００の開口部１１１を開けた状態であって背負ったときの前方から視た図であり、図２（Ａ）は、本考案の実施例であるリュックサック１００の開口部１１１を閉じた状態であって背負ったときの後方から視た図であり、図２（Ｂ）は、本考案の実施例であるリュックサック１００の開口部１１１を閉じた状態であって背負ったときの前方から視た図であり、図３（Ａ）は、図２（Ａ）の内側を透視した透視断面図であり、図３（Ｂ）は、図３（Ａ）の符号３Ｂ−３Ｂで視た断面図であり、図４（Ａ）は、側方シート状発泡体１３０をバッグ本体１１０の内側から取り出して延ばした状態を示す図であり、図４（Ｂ）は、リュックサック１００の開口部１１１を閉じた状態を示す図であり、図４（Ｃ）は、底用シート状発泡体１４０からサンダル１４１を外した状態を示す図である。
【００２５】
本考案の第１実施例であるリュックサック１００は、図１（Ａ）乃至図４（Ｃ）に示すように、バッグ本体１１０と、一対の肩ベルト１２０と、シート状発泡体である側方シート状発泡体１３０および底用シート状発泡体１４０と、空気吹き込み口１５０と、開口部１１１とを備えている。
このうち、バッグ本体１１０は、防水素材の一例であるターポリン布地で形成されている。
【００２６】
また、一対の肩ベルト１２０は、バッグ本体１１０における背負ったときの前側面に配設されている。
さらに、側方シート状発泡体１３０は、一例として軟性発泡ウレタンで形成され、バッグ本体１１０の内側の側方に配設されている。
また、底用シート状発泡体１４０は、軟性発泡ウレタンで形成され、バッグ本体１１０の底面に配設されている。
【００２７】
空気吹き込み口１５０は、バッグ本体１１０の外側に設けられている。
さらに、空気吹き込み口１５０が、逆止弁を有してバッグ本体１１０の外側から内側への空気の流入を許可するとともにバッグ本体１１０の内側から外側への空気の流出を止めるように構成されている。
また、開口部１１１は、バッグ本体１１０の上部に設けられている。
さらに、開口部１１１が、閉じられてからバッグ本体１１０の上端を下方へ巻いてバッグ本体１１０の外側に設けられた留め具の一例であるオス型バックル１１２およびストラップ付フック１１４をバッグ本体１１０の外側に設けられた被留め具の一例であるメス型バックル１１３およびループ１１５とそれぞれ係合させて巻かれた状態となるように構成されている。
所謂、ロールトップタイプである。
【００２８】
これにより、万が一に水難事故や水害に遭った場合にユーザーが背負っているリュックサック１００を胸側にかけ直して空気吹き込み口１５０から空気を入れるとバッグ本体１１０の内側に空気が溜まり十分な浮力が生じる。
その結果、ユーザーは水難事故や水害から身を守ることができる。
さらに、開口部１１１が単に線ファスナーで閉じられるファスナータイプではなく巻いて閉じる所謂、ロールトップタイプであることによって開口部１１１がロール状に巻かれた中心となる。
そして、開口部１１１に対して押し広げるように開こうとする力が殆ど作用せず開口部１１１が長時間確実に封止される。
その結果、バッグ本体１１０の外側から内側への水の浸入を長時間確実に防止して浮力を維持することができる。
また、突然、水に襲われた場合であってもシート状発泡体によってバッグ本体１１０に浮力が生じる。
その結果、ユーザーはタイミングをみてリュックサック１００を背中側から胸側にかけ直して空気吹き込み口１５０から空気を入れて十分な浮力を得ることができる。
さらに、万が一に水に流されている場合にバッグ本体１１０が何かと衝突して傷ついて空気漏れを起こしてしまったときであってもシート状発泡体によって浮力をある程度確保することができる。
【００２９】
さらに、本実施例では、開口部１１１が、防水線ファスナー１１１ａを有している。
防水線ファスナー１１１ａの位置は、開口部１１１の少し奥側に入ったところである所謂、落としファスナーである。
そして、防水線ファスナー１１１ａによって閉じられてからバッグ本体１１０の上端を下方へ巻いてバッグ本体１１０の外側に設けられた留め具の一例であるオス型バックル１１２およびストラップ付フック１１４をバッグ本体１１０の外側に設けられた被留め具の一例であるメス型バックル１１３およびループ１１５とそれぞれ係合させて巻かれた状態となるように構成されている。
これにより、防水線ファスナー１１１ａがロール状に巻かれた中心となって防水線ファスナー１１１ａに対して押し広げるように開こうとする力が殆ど作用せず防水線ファスナー１１１ａによって開口部１１１がより確実に封止される。
その結果、より確実に浮力を維持することができる。
【００３０】
なお、ロールトップタイプのバッグ本体１１０の開口部１１１は、防水線ファスナー１１１ａに代えて、一例として、開口部１１１の入り口から奥側へ向かって延びた環状シート状のシール部材１１１ｂを有している構成にしてもよい。
このシール部材１１１ｂの基端側は、開口部１１１と接続され、奥側となるシール部材１１１ｂの先端側は、自由端になっている。
そして、シール部材１１１ｂは、開口部１１１の内周に沿って一周配設されている。
バッグ本体１１０の上端を下方へ巻くことにより、開口部１１１に沿って一周設けられたシール部材１１１ｂが互いに接触して閉じられる。
そして、バッグ本体１１０の内側の気圧が少しでも高くなると、バッグ本体１１０の内側の空気が開口部１１１を介して外側へ逃げようとするが、逃げようとする空気が、開口部１１１の内側に設けられたシール部材１１１ｂの外周に入り込み、開口部１１１に沿って一周設けられたシール部材１１１ｂを互いに密に接触させるように力を作用するため、空気の漏れが殆ど生じない。
さらに、より一層確実に浮力を維持するために、防水線ファスナー１１１ａおよびシール部材１１１ｂの両方を併用した構成としてもよい。
また、バッグ本体１１０における一対の肩ベルト１２０の上方には、ユーザーの利便性向上のために取っ手部１１６が設けられている。
【００３１】
さらに、図１（Ｂ）および図２（Ｂ）に示すように、本実施例では、バッグ本体１１０の外側から出し入れ自在なポケット１１７が、バッグ本体１１０の一対の肩ベルト配設側における肩ベルト１２０のベルト肩側接続箇所１２１とベルト腰側接続箇所１２２との間の領域に設けられている。
これにより、寒いときはカイロ、暑いときは冷却剤（保冷剤ともいう）を収納自在となってユーザーがリュックサック１００を背負っているときにユーザーの背中にカイロの熱が伝達される、またはユーザーの背中の熱が冷却剤に奪われる。
その結果、気温が低くて寒いときであっても気温が高くて暑いときであってもユーザーはリュックサック１００を快適に背負い続けることができる。
なお、ポケット１１７は、入り口を開閉自在なジッパータイプでもよいし、その他開閉なタイプでもよいし、入り口が開いたままのタイプでもよい。
【００３２】
また、本実施例では、バッグ本体１１０の開口部１１１を閉じた状態における上下方向の中央より下側において、コック１１８が配設されている。
コック１１８は、開閉弁を有してバッグ本体１１０の内側から外側への流体の流量を調整自在に構成されている。
これにより、災害時にバッグ本体１１０の内側に水を入れてコック１１８を操作するとバッグ本体１１０の内側の水が外側へ出る。
その結果、災害時にリュックサック１００を給水用バッグや水汲み用タンクとして使うことができる。
さらに、バッグ本体１１０の内側に水および衣類などを入れてバッグ本体１１０を押すなどして変形させると内側の水が撹拌されて衣類などの汚れが落ちる。
その結果、災害時にリュックサック１００を洗濯機として使うことができる。
また、洗濯した後にコック１１８から排水してバッグ本体１１０を押したりくるくる巻いたりすると衣類などに含まれた水分が絞り出されてコック１１８からさらに排水される。
その結果、災害時にリュックサック１００を脱水機として使うことができる。
なお、コック１１８に配置について、バッグ本体１１０の底に凸条の足を複数設けて、複数の足で囲われた領域内にコック１１８を配設してもよい。
【００３３】
さらに、本実施例では、空気吹き込み口１５０が、蛇腹状パイプ１５１を有している構成である。
これにより、空気吹き込み口１５０が伸縮自在、かつ、方向変更自在となる。
その結果、ユーザーはリュックサック１００を胸側にかけ直して水に浮いているときに空気吹き込み口１５０を簡単に伸ばして自分の口に向けて空気吹き込み口１５０から空気を吹き込むことができる。
【００３４】
また、図４（Ａ）〜図４（Ｃ）に示すように、本実施例では、側方シート状発泡体１３０および底用シート状発泡体１４０が、バッグ本体１１０に対して取り外し自在に構成されている
これにより、側方シート状発泡体１３０および底用シート状発泡体１４０をバッグ本体１１０から取り外して、バッグ本体１１０の内側に空気を適度に入れると、図４（Ｂ）に示すように、ある程度変形自在な空気枕となる。
また、図４（Ａ）に示すように、側方シート状発泡体１３０を真っ直ぐ延ばすと弾力のあるマット状となる。
その結果、災害時にユーザーは、バッグ本体１１０を枕として使うとともにシート状発泡体をマットとして使って休息を取ることができる。
【００３５】
さらに、図４（Ｃ）に示すように、底用シート状発泡体１４０は、一例として、サンダル形状に型抜き加工が施され、変形してユーザーの足にフィット自在な足通し部１４２が設けられている。
これにより、災害時にユーザーはバッグ本体１１０から底用シート状発泡体１４０を取り出して、底用シート状発泡体１４０からサンダル１４１を抜き出すだけでサンダル１４１を準備できる。
ユーザーがサンダル１４１を履くことにより、災害時であっても多少リラックスすることができる。
なお、一足のサンダル１４１のうち一方を他方に対して表裏反対向きで型抜き加工されると、表裏反対向きでない場合と比べて、バッグ本体１１０の底面の大きさに応じて形成された底用シート状発泡体１４０の限られた大きさを有効利用することができる。
【００３６】
このようにして得られた本考案の実施例であるリュックサック１００は、防水コーティングされたまたは防水素材で形成されたバッグ本体１１０と、一対の肩ベルト１２０と、バッグ本体１１０の内側に設けられたシート状発泡体としての側方シート状発泡体１３０および底用シート状発泡体１４０と、バッグ本体１１０の外側に設けられた空気吹き込み口１５０と、バッグ本体１１０の上部に設けられた開口部１１１とを備え、空気吹き込み口１５０が、逆止弁を有してバッグ本体１１０の外側から内側への空気の流入を許可するとともにバッグ本体１１０の内側から外側への空気の流出を止め、開口部１１１が、閉じられてからバッグ本体１１０の上端を下方へ巻いてバッグ本体１１０の外側に設けられた留め具の一例であるオス型バックル１１２およびストラップ付フック１１４をバッグ本体１１０の外側に設けられた被留め具の一例であるメス型バックル１１３およびループ１１５とそれぞれ係合させて巻かれた状態となる構成であることにより、ユーザーは水難事故や水害から身を守ることができ、バッグ本体１１０の外側から内側への水の浸入を長時間確実に防止して浮力を維持することができ、ユーザーはタイミングをみてリュックサック１００を背中側から胸側にかけ直して空気吹き込み口１５０から空気を入れて十分な浮力を得ることができ、さらに、万が一に水に流されている場合にバッグ本体１１０が何かと衝突して傷ついて空気漏れを起こしてしまったときであってもシート状発泡体によって浮力をある程度確保することができる。
【００３７】
さらに、開口部１１１が、防水線ファスナー１１１ａを有して防水線ファスナー１１１ａによって閉じられてからバッグ本体１１０の上端を下方へ巻いてバッグ本体１１０の外側に設けられた留め具の一例であるオス型バックル１１２およびストラップ付フック１１４をバッグ本体１１０の外側に設けられた被留め具の一例であるメス型バックル１１３およびループ１１５とそれぞれ係合させて巻かれた状態となる構成であることにより、より確実に浮力を維持することができる。
【００３８】
また、開口部１１１が、開口部１１１の内周に沿って一周配設された環状シート状のシール部材１１１ｂを有し、シール部材１１１ｂが、開口部１１１の入り口から奥側へ向かって延び、シール部材１１１ｂの基端側が、開口部１１１と接続され、奥側となるシール部材１１１ｂの先端側が、自由端であり、開口部１１１が、シール部材１１１ｂによって閉じられてからバッグ本体１１０の上端を下方へ巻いてバッグ本体１１０の外側に設けられた留め具の一例であるオス型バックル１１２およびストラップ付フック１１４をバッグ本体１１０の外側に設けられた被留め具の一例であるメス型バックル１１３およびループ１１５とそれぞれ係合させて巻かれた状態となる構成であることにより、より確実に浮力を維持することができる。
【００３９】
さらに、バッグ本体１１０が、バッグ本体１１０における一対の肩ベルト１２０のベルト肩側接続箇所１２１とベルト腰側接続箇所１２２との間の領域にバッグ本体１１０の外側から出し入れ自在なポケット１１７を有している構成であることにより、気温が低くて寒いときであっても気温が高くて暑いときであってもユーザーはリュックサック１００を快適に背負い続けることができる。
【００４０】
また、バッグ本体１１０が、バッグ本体１１０の開口部１１１を閉じた状態における上下方向の中央より下側において開閉弁を有してバッグ本体１１０の内側から外側への流体の流量を調整自在なコック１１８を有している構成であることにより、災害時にリュックサック１００を給水用バッグや水汲み用タンクとして使うことができ、災害時にリュックサック１００を洗濯機として使うことができ、さらに、災害時にリュックサック１００を脱水機として使うことができる。
【００４１】
さらに、空気吹き込み口１５０が、蛇腹状パイプ１５１を有している構成であることにより、ユーザーはリュックサック１００を胸側にかけ直して水に浮いているときに空気吹き込み口１５０を簡単に伸ばして自分の口に向けて空気吹き込み口１５０から空気を吹き込むことができる。
【００４２】
また、シート状発泡体としての側方シート状発泡体１３０および底用シート状発泡体１４０が、バッグ本体１１０に対して取り外し自在に構成されていることにより、災害時にユーザーは、バッグ本体１１０を枕として使うとともにシート状発泡体をマットとして使って休息を取ることができるなど、その効果は甚大である。
【符号の説明】
【００４３】
１００  ・・・  リュックサック
１１０  ・・・  バッグ本体
１１１  ・・・  開口部
１１１ａ・・・  防水線ファスナー
１１１ｂ・・・  シール部材
１１２  ・・・  オス型バックル（留め具）
１１３  ・・・  メス型バックル（被留め具）
１１４  ・・・  ストラップ付フック（留め具）
１１５  ・・・  ループ（被留め具）
１１６  ・・・  取っ手部
１１７  ・・・  ポケット
１１８  ・・・  コック
１２０  ・・・  肩ベルト
１２１  ・・・  ベルト肩側接続箇所
１２２  ・・・  ベルト腰側接続箇所
１３０  ・・・  側方シート状発泡体（シート状発泡体）
１４０  ・・・  底用シート状発泡体（シート状発泡体）
１４１  ・・・  サンダル
１４２  ・・・  足通し部
１５０  ・・・  空気吹き込み口
１５１  ・・・  蛇腹状パイプ
【図１】
0003226729.tif 000003
【図２】
0003226729.tif 000004
【図３】
0003226729.tif 000005
【図４】
0003226729.tif 000006
【手続補正書】
【提出日】令和2年3月31日(2020.3.31)
【手続補正１】
【補正対象書類名】明細書
【補正対象項目名】００１２
【補正方法】変更
【補正の内容】
【００１２】
本請求項７に係る考案は、請求項１乃至請求項６のいずれか１つに記載されたリュックサックの構成に加えて、前記シート状発泡体が、前記バッグ本体に対して取り外し自在にバッグ本体の内側に配設された構成であることにより、前述した課題をさらに解決するものである。
【手続補正２】
【補正対象書類名】明細書
【補正対象項目名】００４２
【補正方法】変更
【補正の内容】
【００４２】
また、シート状発泡体としての側方シート状発泡体１３０および底用シート状発泡体１４０が、バッグ本体１１０に対して取り外し自在にバッグ本体１１０の内側に配設された構成であることにより、災害時にユーザーは、バッグ本体１１０を枕として使うとともにシート状発泡体をマットとして使って休息を取ることができるなど、その効果は甚大である。
【手続補正３】
【補正対象書類名】実用新案登録請求の範囲
【補正対象項目名】全文
【補正方法】変更
【補正の内容】
【実用新案登録請求の範囲】
【請求項１】
防水コーティングされたまたは防水素材で形成されたバッグ本体と、一対の肩ベルトとを備えたリュックサックであって、
前記バッグ本体の内側に設けられたシート状発泡体と、
前記バッグ本体の外側に設けられた空気吹き込み口と、
前記バッグ本体の上部に設けられた開口部とを備え、
前記空気吹き込み口が、逆止弁を有してバッグ本体の外側から内側への空気の流入を許可するとともにバッグ本体の内側から外側への空気の流出を止め、
前記開口部が、閉じられてからバッグ本体の上端を下方へ巻いてバッグ本体の外側に設けられた留め具をバッグ本体の外側に設けられた被留め具と係合させて巻かれた状態となる構成であることを特徴とするリュックサック。
【請求項２】
前記開口部が、防水線ファスナーを有して防水線ファスナーによって閉じられてからバッグ本体の上端を下方へ巻いてバッグ本体の外側に設けられた留め具をバッグ本体の外側に設けられた被留め具と係合させて巻かれた状態となる構成であることを特徴とする請求項１に記載のリュックサック。
【請求項３】
前記開口部が、開口部の内周に沿って一周配設された環状シート状のシール部材を有し、
前記シール部材が、開口部の入り口から奥側へ向かって延び、シール部材の基端側が、開口部と接続され、奥側となるシール部材の先端側が、自由端であり、
前記開口部が、前記シール部材によって閉じられてからバッグ本体の上端を下方へ巻いてバッグ本体の外側に設けられた留め具をバッグ本体の外側に設けられた被留め具と係合させて巻かれた状態となる構成であることを特徴とする請求項１または請求項２に記載のリュックサック。
【請求項４】
前記バッグ本体が、バッグ本体における一対の肩ベルトのベルト肩側接続箇所とベルト腰側接続箇所との間の領域にバッグ本体の外側から出し入れ自在なポケットを有している構成であることを特徴とする請求項１乃至請求項３のいずれか１つに記載のリュックサック。
【請求項５】
前記バッグ本体が、バッグ本体の開口部を閉じた状態における上下方向の中央より下側において開閉弁を有してバッグ本体の内側から外側への流体の流量を調整自在なコックを有している構成であることを特徴とする請求項１乃至請求項４のいずれか１つに記載のリュックサック。
【請求項６】
前記空気吹き込み口が、蛇腹状パイプを有している構成であることを特徴とする請求項１乃至請求項５のいずれか１つに記載のリュックサック。
【請求項７】
前記シート状発泡体が、前記バッグ本体に対して取り外し自在にバッグ本体の内側に配設された構成であることを特徴とする請求項１乃至請求項６のいずれか１つに記載のリュックサック。